(57)【要約】      （修正有）【課題】練習器を取り付けた場合と取り外した場合でもパターの重量が変化しないゴルフ用パターを提供する。【解決手段】練習用機器を取り付けた場合のゴルフ用パター１全体の重量と練習用機器を取り外した場合のゴルフ用パター１の重量がほぼ同じに出来るように設計されたゴルフ用パター１であって、ゴルフ用パター１の一部が着脱可能な部品２となっていて、この着脱可能な部品２を取り外し練習器等を取り付け、練習をする。練習終了後は練習機を取り外し、着脱可能分を元に戻す。着脱可能部品２の重量とゴルフ用パター１練習用機器の重量がほぼ同じである事で、練習時と実際のパッティング時でパターの重量が変化しないのでパッティングの距離感が変化しない。【選択図】図１
2013094307.tif 000002
【特許請求の範囲】
【請求項１】
ゴルフ用パターであり、そのパターの構造は、ゴルフ用パターの一部が着脱可能な部品となっていて、着脱可能部品を取り外した所に他の取り付け品、例えばゴルフ用パター練習器等を取り付ける事が出来る構造である事を特徴としたゴルフ用パター。
【請求項２】
請求項１のゴルフ用パターで、ゴルフ用パターの一部で着脱可能な部品の重量を調整して他の取り付け品、例えばゴルフ用練習器等と着脱可能な部品の重量をほぼ同一にすることで、他の取り付け部品例えばゴルフ用練習器等を取り付けた場合と取り外し、着脱可能部品を元に戻した場合で、ゴルフ用パター全体の重量が、ほぼ同一である事を特徴としたゴルフ用パター。
【請求項３】
請求項１及び請求項２のゴルフ用パターで、ゴルフ用パターの一部で着脱可能な部品の重量の調整方法が、一つの着脱可能部品の重量を変更する方法と重量の異なる複数の着脱可能な部品を用意する方法等で、ゴルフパター全体の重量が調整できることを特徴としたゴルフ用パター。
【発明の詳細な説明】
【技術分野】
【０００１】
本発明は、ゴルフ用パターに関するものである。
【背景技術】
【０００２】
ゴルフ用パッティングは、ゴルフにおける重要のプレイの一つである。しかし、適切な練習方法と練習器は、ある意味でなかった。ゴルフに限らずスポーツ全般に言えることであるが、自分の欠点が理解できれば何とかその欠点を克服しようと人は考え努力する。ゴルフのパッティングにおいても、自分のパターの動きが理解できれば、改善の方法も見えて来る。このゴルフのパターの動きを見え易くするための、練習器を取り付けて練習した結果、パッティング技量は格段に向上した。しかし、距離感については、既存のゴルフ用パターに練習器を取り付けての練習では限界があることが判明した。
【先行技術文献】
【特許文献】
【０００３】
【特許文献１】特開平１１−１４３６９３５号
【特許文献２】実用新案登録第３１２３７１６号
【非特許文献】
【０００４】
【非特許文献１】財団法人  日本ゴルフ協会、用具の規則
【発明の概要】
【発明が解決しようとする課題】
【０００５】
ゴルフのパッティングのような比較的緩やかな動作であれば、パターに適当な練習器を取り付けることでパッティングを拡大して示すことも可能である。しかし、上記のような練習器を取り付けた場合重量が増加する。この重量増加を考慮した設計のゴルフ用パターはない。従って、ゴルフ用パターに練習器を取り付けてパッティングを練習し、実際のコースでパッティングを行なうと練習器を取り外した分ゴルフ用パターの重量が軽くなり、練習時と同速度でゴルフ用パターを振り出すとゴルフボールの到達する距離が短くなる。本発明の解決しようとする課題は、練習器を取り付けた場合と取り外した場合でパターの重量が変化し、パッティングの距離が変化するという課題である。
【課題を解決するための手段】
【０００６】
上記課題は、練習用機器を取り付けた場合の全体の重量と練習用機器を取り外した場合の重量がほぼ同じに出来るように設計されたゴルフ用パターによって解決される。
例えば、ゴルフ用パターの一部が着脱可能な部品となっていて、この着脱可能な部品重量とゴルフ用パター練習用機器の重量がほぼ同じである事で可能となる。  ゴルフ用パターに練習器を取り付けてパッティング練習している時は、同重量の着脱可能部品を取り外しているので重量変化はない。実際のコースで練習器を取り外してパッティングをする際は、着脱可能部品が取り付いているのでゴルフ用パターの重量は、変化しない。練習時と実際のパッティング時でパターの重量が変化しなのでパッティングの距離が変化しない。
従って、着脱可能部品は、練習器の重量に合わせて重量を調整する必要がある。着脱可能な部品の重量の調整方法としては、一つの着脱可能部品の重量を変更する方法と重量の異なる複数の着脱可能な部品を用意する方法等がある。
【発明の効果】
【０００７】
練習器を取り付けたパッティング練習と実際のコースプレイのパッティングで、パッティングの距離感が同等になった。またゴルフ用パターの着脱可能部品の重量を変えることで、様々な重量のゴルフ用パターを楽しむことが出来た。
【図面の簡単な説明】
【０００８】
【図１】ゴルフ用パターの練習器取り付け部と着脱可能な部品
【図２】練習器取り付けたゴルフ用パター
【発明を実施するための形態】
【０００９】
パッティング向上の為には、パターのヘッドの軌道が理解出来る事が効果的である。パッティングのような比較的緩やかな動作であれば、パターに適当な練習器（目印）を取り付けることでパッティング面の角度を拡大して示すことも目印が可動であればその動きによってスウィングが目標方向に対して並行なのかフック気味なのを推定することも可能である。一部のゴルフ用パターには練習器を取り付けるように設計されたものもある。しかし、種々の欠点があり実用化されていない。特に練習器を取り付けるとパター全体の重量が練習器の分重くなる分については全く考慮されていない。実際にゴルフ用パットに練習器を取り付けて練習すると練習器の重量を約１００グラムすると、実際のゴルフコースで使用するゴルフ用パターの重量約５００グラムに対して練習器の重量１００グラムが増加する。１００グラムの増加分は、パター全体６００グラムの約１７％当たる。ゴルフ用パターを一定の速度で振り出したと仮定すると、練習器を取り付けた場合とゴルフ用パターのみの場合（練習器を取り外した場合）では、ゴルフボールに伝達される運動エネルギーは、１７％異なる。即ち、ゴルフボールの転がるエネルギーが１７％異なり、このエネルギーの差が距離を変化させることになる。本発明は、以上のような問題を解決する為、練習器が取り付いたゴルフ用パターと練習器を取り外したゴルフ用パターの重量をほぼ同じにすることを考慮して設計したものである。
【００１０】
また、本発明は、ゴルフ用パター全体の重量を変更することを可能にした。全体の重量を変化させるとゴルフボールに伝達される運動エネルギーも変化することになる。従って、早いグリンーでは、ゴルフ用パターの重量を軽くして打ち過ぎない様に、重いグリンーでは、ゴルフ用パターの重量を重くしてゴルフボールがより転がるように等の調整も出来る。
【００１１】
ゴルフ用パターには各国のゴルフ協会が規定する規格がある。その規格には、一体構造であることという規定がある。従ってゴルフの正式競技では、着脱可能部品は、適当な固定（接着剤等）を行いゴルフ協会の承認を得る必要がある。
【実施例】
【００１２】
ゴルフ用パターの重心部に図１のような約６ｃｍ３  の着脱可能部２を設けた。この部品２の重量は約６０グラム、銅で製作した。図２に本発明のゴルフ用パターに練習器３を取り付けた図である。この練習器の重量は約６０グラムであった。コースプレイを行なう際は、部品２を接着剤で固定して使用した。練習器を取り付ける際には溶剤で接着剤を剥がして練習器をはめ込み、練習する。練習器３と着脱可能部品２は、約６０グラムと同重量なので、練習時もコースプレイ時も同感覚でパッティングすることが出来た。
以上が本発明の実施例である。
本発明は、様々な応用が可能である。例えば着脱な部分と練習器の固定方法は、様々である。例えば、バネ、ゴムなどを利用したはめ込み方法、ネジを利用した固定の方法、磁石、両面テープ等を利用した貼り付け方法などが考えられる。また、練習器は様々練習器が開発されるだろう。その場合着脱可能部の重量も材質と形状を工夫する事で練習器と同等の重量にする事ができる。
【産業上の利用可能性】
【００１３】
本発明はゴルフ用パターに関するものである。
【符号の説明】
【００１４】
１  ゴルフ用パター
２  ゴルフ用パターの着脱可能部品
３  ゴルフ用パター練習器
【図１】
2013094307.tif 000003
【図２】
2013094307.tif 000004